(57)【特許請求の範囲】
【請求項１】
遊技の進行に応じて所定の演出を行う演出装置を備えた遊技機であって、
前記演出装置は、
所定の装飾が施された装飾部材と、
光が入射する入射面を側面に有するとともに透光性を有する部材で形成されており、表面又は裏面の少なくともいずれか一方に、前記入射面から入射した光により所定の表示情報を表示するための表示部を有する導光部材と、
前記導光部材の側方であって前記入射面と対向する位置に配置されており、前記入射面に向けて光を照射する第１発光部及び前記装飾部材に向けて光を照射し、その光軸方向が前記第１発光部の光軸方向と直交するように配置されている第２発光部、前記第１発光部がその上に配置されるベースとなる第１基板部材及び前記第２発光部がその上に配置されるベースとなる第２基板部材、並びに前記第１発光部と前記第２発光部とを内部に収容配置するための収容空間を有する発光部材とを備え、
前記導光部材は、第１表示部を有する第１導光部材と第２表示部を有する第２導光部材とが前後に重なり合うように配置されており、前記第１表示部に表示される表示情報と前記第２表示部に表示される表示情報とが異なるように形成されており、
前記第１導光部材及び前記第２導光部材の間にはスペーサ部材が配置されており、
前記スペーサ部材は、スペーサ本体と前記スペーサ本体の側面から突出形成された突出部とを有し、その突出端面が前記第１基板部材の表面と当接するように構成されていることを特徴とする遊技機。
【発明の詳細な説明】
【技術分野】
【０００１】
本発明は、遊技の進行に応じて所定の演出を行う演出装置を備えた遊技機に関する。
【背景技術】
【０００２】
遊技店において遊技者の遊技に供される遊技機の一つとして、遊技球を遊技媒体に用いるパチンコ機が従来から知られている。パチンコ機は、発射装置で弾発された遊技球が遊技領域を流下するように構成されており、この遊技球が遊技領域を流下する際に、該遊技領域に設置されている各種入賞口に入賞すると、その入賞の態様によって所定個数の遊技球（賞球ともいう）が払い出されたり、遊技の状態を遊技者に不利な通常遊技状態から遊技者に有利な特別遊技状態に変化させたりして、遊技を進行する。従来、パチンコ機では、各種の発光装置を設けておき、遊技の進行に応じて発光装置の発光態様や発光色を変化させることで遊技者の興趣を向上させる演出を行っていた。近年は、そのような演出に加えて、遊技領域に設けている役物装置を大型化して内部に液晶表示装置を配置し、遊技の進行に応じて該液晶表示装置に動画等を表示させることで遊技者の興趣を向上させるような演出も行われるようになっている。
【０００３】
また、従来のパチンコ機では、遊技領域に役物装置を設けたもののほかに、遊技盤に導光板を用いたものも存在する。例えば、下記に示す特許文献１に記載されている遊技機は、透明性を有し、遊技領域を形成した遊技領域板と、遊技領域板の奥側に該遊技領域板と重なるように設けられ、透明性を有する導光板と、該導光板の周面の少なくとも一部に設けられ、該導光板内に光を導入する発光体とを備えた遊技機が開示されている。
【先行技術文献】
【特許文献】
【０００４】
【特許文献１】特開２００６−２５４９５９号公報
【発明の概要】
【発明が解決しようとする課題】
【０００５】
特許文献１に記載された遊技機は、遊技盤が遊技領域板と導光板とを互いに重ね合わせて構成されているので、導光板の周面から光が導入されると遊技盤全体が光ったり、導光板に描かれている各種絵柄等を遊技者が視認できるようになる。しかしながら、特許文献１に記載された遊技機の場合には、導光板が遊技盤の一部を構成しているため、導光板自体が大きくなり、導光板に形成された絵柄等を遊技者が視認できるように均一な明るさで絵柄等を表示するためには、大きな光量の光を導光板に入射させなければならず、そのためには発光体を大型化しなければならないという問題点がある。特に、近年の遊技機は演出の多様化に伴って、役物装置の大きさや遊技者が視認できる絵柄等の大きさが大型化する傾向にある。そのため、特許文献１に記載された導光板において絵柄等を明確に表示するためには、発光装置が大型化したり、発光装置の大型化に伴って設置スペースの確保をしなければならないという問題があった。
【０００６】
また、特許文献１に記載された遊技機の場合には、導光板が遊技盤の一部を構成しているため、導光板に光を入射させるための発光体と、遊技盤に設けられている各種装飾体に対して光を照射するための発光体とをそれぞれ別の場所に設けなければならず、発光体を設けるスペースが増加してしまう傾向にあるという問題があった。近年は、特に遊技領域内において役物装置が占有するスペースが増大する傾向にあるため、発光体等のような部材はできるだけコンパクトにする等して、スペース効率を向上することが遊技機の分野では望まれている。本発明は、このような問題点に鑑みてなされたもので、遊技における演出態様をより多様なものにするとともに、スペース効率を向上させてスペースを有効活用することのできる遊技機を提供することを目的とする。
【課題を解決するための手段】
【０００７】
本発明は、遊技の進行に応じて所定の演出を行う演出装置を備えた遊技機であって、
前記演出装置は、
所定の装飾が施された装飾部材と、
光が入射する入射面を側面に有するとともに透光性を有する部材で形成されており、表面又は裏面の少なくともいずれか一方に、前記入射面から入射した光により所定の表示情報を表示するための表示部を有する導光部材と、
前記導光部材の側方であって前記入射面と対向する位置に配置されており、前記入射面に向けて光を照射する第１発光部及び前記装飾部材に向けて光を照射し、その光軸方向が前記第１発光部の光軸方向と直交するように配置されている第２発光部、前記第１発光部がその上に配置されるベースとなる第１基板部材及び前記第２発光部がその上に配置されるベースとなる第２基板部材、並びに前記第１発光部と前記第２発光部とを内部に収容配置するための収容空間を有する発光部材とを備え、
前記導光部材は、第１表示部を有する第１導光部材と第２表示部を有する第２導光部材とが前後に重なり合うように配置されており、前記第１表示部に表示される表示情報と前記第２表示部に表示される表示情報とが異なるように形成されており、
前記第１導光部材及び前記第２導光部材の間にはスペーサ部材が配置されており、
前記スペーサ部材は、スペーサ本体と前記スペーサ本体の側面から突出形成された突出部とを有し、その突出端面が前記第１基板部材の表面と当接するように構成されていることを特徴とする遊技機を要旨とする。
【発明の効果】
【０００８】
本発明の遊技機は、演出装置の発光部材が第１発光部及び第２発光部を備えており、第１発光部が導光部材に光を照射し、第２発光部が装飾部材に向けて光を照射するように構成されている。したがって、本発明によれば、遊技機全体の中における発光部材の設置に伴うスペース効率を大きく向上させることができるのに加え、演出装置における光を用いた多様な演出を行うことができ、遊技者の興趣を大きく向上させることができる遊技機を提供することが可能になる。
【図面の簡単な説明】
【０００９】
【図１】本発明の実施の形態に係る遊技機の正面図である。
【図２】遊技盤の正面図である。
【図３】センター役物の斜視図である。
【図４】センター役物の分解斜視図である。
【図５】第１導光部材、第２導光部材、発光部材、装飾部材等を組み付けた時の各部材の配置を説明するための説明図である。
【発明を実施するための形態】
【００１０】
本発明の遊技機に係る実施の形態について、図面を用いて具体的に説明する。なお、本明細書では、本発明に係る遊技機の例としてパチンコ遊技機（以下、単に遊技機と言う。）を用いて説明するが、本発明はパチンコ遊技機以外の遊技機、例えばスロットマシン等にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１１】
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて構成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１２】
遊技機１は、遊技盤１１に向けて遊技球を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９が配置されている。また、遊技機１の内部には、音声を出力するためのスピーカ１０が設けられている。
【００１３】
図２に示すように、遊技盤１１は、アクリルやポリカーボネート等の合成樹脂材料で略正方形状に形成された平板状の部材である。この遊技盤１１の背面側には、裏ユニット（図示せず）がビス等によって取付固定されている。遊技盤１１には、演出装置としてのセンター役物１２の装飾枠体１３を取り付けるための開口部１４が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。即ち、遊技盤１１には、遊技領域１６の外延部に案内レール１５が設けられるようにして構成されている。
【００１４】
遊技領域１６には、センター役物１２を視認可能にするとともに該センター役物１２の装飾枠体１３を取り付けるための開口部１４が略中央部に開口形成されている。また、遊技領域１６には、遊技球が入賞すると所定個数の賞球を払い出す契機となる普通入賞装置１７、遊技球が入賞すると遊技者にとって不利な通常遊技状態から遊技者にとって有利な特別遊技状態に移行するか否かを抽選する契機となる始動入賞装置１８、特別遊技状態に移行している時にのみ開口し、遊技球が入賞する毎に所定個数の賞球を払い出す契機となる大入賞装置１９が設けられている。
【００１５】
センター役物１２は、遊技の進行に応じて所定の演出を行うためのものである。図３及び図４に示すように、センター役物１２は、装飾枠体１３と、導光部材２１と、発光部材２２と、装飾部材２３とを備えている。装飾枠体１３は、センター役物１２の外周側において枠状に形成されており、内側が開口するように形成されている。この装飾枠体１３は、装飾部材２３等を取付固定することができるように構成されており、例えば従来から公知の樹脂材料等で形成されている。なお、この装飾枠体１３は、透光性を有するものであれば、透明であってもよいし、着色されていてもよい。また、装飾枠体１３の形状は、装飾部材２３等を取付固定することができれば任意に決定してよい。
【００１６】
導光部材２１は、発光部材２２から照射される光を受けて、該導光部材２１内で光を案内することができるようにするためのものである。本実施の形態では、導光部材２１は、第１導光部材２４と第２導光部材２５とが前後に重なり合うように配置されているが、導光部材２１を重なり合うように配置する枚数は２枚に限定されるものではない。
【００１７】
第１導光部材２４は、光が照射する第１入射面２６を第１側面に有しており、透光性を有する材料で形成されている。また、第１導光部材２４は、第１入射面２６から入射した光により所定の表示情報を表示するための第１表示部２７を有している。本実施の形態では、第１表示部２７は、「花」という文字を装飾的に描いたものを用いているが、これに限定されるものではない。なお、本実施の形態では第１表示部２７は、第１導光部材２４の表面に形成されているが、第１表示部２７は第１導光部材２４の裏面に形成してもよい。
【００１８】
第２導光部材２５は、光が照射する第２入射面２８を第２側面に有しており、透光性を有する材料で形成されている。また、第２導光部材２５は、第２入射面２８から入射した光により所定の表示情報を表示するための第２表示部２９を有している。本実施の形態では、第２表示部２９は、花びらを模した各種絵柄が描かれているが、第２表示部２９に表示させるものとしては、これに限定されるものではない。また、第２表示部２９は、第２導光部材２５を第１導光部材２４の後方に配置させたときに第１表示部２７の後方に位置するように形成されているが、形成する位置もこれに限定されるものではない。また、第２表示部２９は、本実施の形態では第２導光部材２５の表面に形成されているが、第２導光部材２５の裏面に形成してもよい。
【００１９】
第１導光部材２４及び第２導光部材２５の間には、第１スペーサ部材３０及び第２スペーサ部材３１が配置されている。これら第１スペーサ部材３０及び第２スペーサ部材３１は、従来から公知の各種樹脂材料で形成されており、またこれら第１スペーサ部材３０及び第２スペーサ部材３１の間に配置する方法も従来から公知の方法を任意に選択して用いてよい。
【００２０】
第１スペーサ部材３０は、両端部に第１挿通孔３２及び第２挿通孔３３が開口形成されており、装飾部材２３の後述する第１挿通部６３及び第２挿通部６４が挿通することができるように形成されている。また、第１スペーサ部材３０は、第１導光部材２４と第２導光部材２５との間に位置する第１スペーサ本体３４と、第１スペーサ本体３４の側面から突出形成された第１突出部３５とを有している。第１突出部３５は、その突出端面である第１端面３６が後述する第１発光部材４５を構成する第１基板部材５２の表面と当接するように形成されている。
【００２１】
第２スペーサ部材３１は、両端部に第３挿通孔３７及び第４挿通孔３８が開口形成され
ており、装飾部材２３の第１挿通部６３及び第２挿通部６４を挿通させることができる大
きさに形成されている。第２スペーサ部材３１は、第１導光部材２４と第２導光部材２５
との間に位置する第２スペーサ部材本体３９と、第２スペーサ部材本体３９の側面から突
出形成された第２突出部４０とを有している。第２突出部４０は、その突出端面である第
２端面４１が後述する第１発光部材４５を構成する第１基板部材５２の表面と当接するようになっている。なお、第１スペーサ部材３０及び第２スペーサ部材３１の構成は同じであってもよいし、異なっていてもよい。
【００２２】
発光部材２２は、第１発光部としての第１発光部材４５、第２発光部としての第２発光部材４６及びベース部材５１を備えている。第１発光部材４５は、第１基板部材５２、第１光源５３及び第２光源５４を有している。第１基板部材５２は、第１発光部材４５のベースとなる部材であり、この第１基板部材５２の上に、該第１基板部材５２の長手方向に沿う方向に第１光源５３を構成するＬＥＤ（Ｌｉｇｈｔ  Ｅｍｉｔｔｉｎｇ  Ｄｉｏｄｅ）と第２光源５４を構成するＬＥＤとが所定間隔をあけて列をなして配置されている。第１光源５３は、第１導光部材２４の側方から第１入射面２６と対向し、第１入射面２６に向けて光を照射するように配置される。また、第２光源５４は、第２導光部材２５の側方から第２入射面２８と対向し、第２入射面２８に向けて光を照射するように配置される。この時、第１光源５３は、該第１光源５３を構成するＬＥＤの先端面５３ａが第１入射面２６と略当接するように配置され、第２光源５４は、該第２光源５４を構成するＬＥＤの先端面５４ａが第２入射面２８と略当接するように配置される。
【００２３】
第２発光部材４６は、第２基板部材５５と第３光源５６とを有している。第２基板部材５５は、第２発光部材４６のベースとなる部材であり、この第２基板部材５５の上に、該第２基板部材５５の長手方向に沿う方向に第３光源５６を構成するＬＥＤが所定間隔をあけて列をなして配置されている。第３光源５６は、第２導光部材２５の後面と対向し、第２導光部材２５の後面側から第１導光部材２４の前面側に向けて光を照射するように配置される。即ち、第２発光部材４６は、その光軸方向Ｌ２が第１発光部材４５の光軸方向Ｌ１と直交するように配置されている。
【００２４】
ベース部材５１は、例えば樹脂材料等で形成されているものであり、第１発光部材４５を固定するための第１固定部５７、第２発光部材４６を取付固定するための第２固定部５８及び装飾部材２３を固定するための装飾部材固定部５９を有している。第１固定部５７は、第１発光部材４５の短手方向一端側の端部を固定することができるように形成されている。この第１固定部５７は、ベース部材５１に装飾部材２３を取付固定した時に、該装飾部材２３に形成されている後述する第３固定部６２と同じ位置となるように形成されている。また、第２固定部５８は、第２発光部材４６をネジ止め等の方法により該第２基板部材５５を取付固定することができるように形成されている。なお、第２固定部５８に第２基板部材５５を取付固定する方法はネジ止め以外の方法を任意に選択して用いてもよい。また、ベース部材５１は、第１発光部材４５が配置される位置とは異なる位置に第２発光部材４６を配置することができるように構成されている。即ち、第１発光部材４５は、第１光源５３と第１入射面２６とが対向する位置及び第２光源５４と第２入射面２８とが対向する位置に配置され、第２発光部材４６は、第１発光部材４５が配置される位置とは異なる、第３光源５６と第２導光部材２５の後面とが対向する位置に配置されている。
【００２５】
また、発光部材２２は、ベース部材５１に第１発光部材４５及び第２発光部材４６を収容するための収容空間６１を有しており、これら第１発光部材４５及び第２発光部材４６は、この収容空間６１内に配置されている。この収容空間６１は、これら第１発光部材４５及び第２発光部材４６を収容することができる大きさを有している。また、この収容空間６１内に第１発光部材４５及び第２発光部材４６を収容した場合には、これら第１発光部材４５及び第２発光部材４６が互いに近接するように配置されている。また、このように第１発光部材４５及び第２発光部材４６が互いに近接するように配置されている場合には、これら第１発光部材４５及び第２発光部材４６は、装飾部材２３の後方に配置されて、正面からは第１発光部材４５及び第２発光部材４６が装飾部材２３の後方に隠れて遊技者が視認することができないように配置されている。
【００２６】
装飾部材２３は、第１導光部材２４の前面よりも前側に配置されるように構成されている。この装飾部材２３は、透光性を有する任意の樹脂材料で形成されており、透明な箇所や所定の色が塗られている箇所などが設けられている。また、装飾部材２３には、裏面側に第１発光部材４５の第１基板部材５２の他端を固定する第３固定部６２が形成されている。この第３固定部６２は、ベース部材５１に取り付けられた時に、該ベース部材５１の第１取付部と同じ位置に配置されるように形成されている。また、装飾部材２３には、ベース部材５１の装飾部材固定部５９に固定される被固定部としての第１挿通部６３及び第２挿通部６４が形成されている。
【００２７】
このような構成において、第１導光部材２４、第２導光部材２５、発光部材２２及び装飾部材２３のそれぞれが配置される関係について、図５を用いて説明する。まず、第１導光部材２４及び第２導光部材２５は前後方向に並んで配置されており、これら第１導光部材２４及び第２導光部材２５の間には第１スペーサ部材３０及び第２スペーサ部材３１が介在する。即ち、第１導光部材２４及び第２導光部材２５の間には、第１スペーサ部材３０及び第２スペーサ部材３１の厚さ分だけの空隙が形成されている。
【００２８】
また、第１導光部材２４の第１入射面２６及び第２導光部材２５の第２入射面２８は、略面一になるように配置されており、第１光源５３及び第２光源５４から照射された光を確実に第１入射面２６及び第２入射面２８に向けて照射することができるようになっている。この時、第１スペーサ部材３０には、第１突出部３５が形成されており、この第１突出部３５の先端は、第１基板部材５２の表面と接するか、又は近接する位置に配置される。
【００２９】
そのため、本実施の形態に係る遊技機１によれば、ＬＥＤから照射された光、即ち、第１光源５３から照射された光は確実に第１入射面２６に向けて照射され、第２光源５４から照射された光は確実に第２入射面２８に向けて照射されるので、第１光源５３からの光が第２入射面２８から入射したり、第２光源５４からの光が第１入射面２６から入射したりすることを確実に防止することができ、遊技の進行における演出の態様を大きく増加させ、遊技者の興趣を大きく向上させることも可能になる。
【００３０】
また、図５に示すように、収容空間６１内に第１発光部材４５及び第２発光部材４６を収容配置しているので、より少ないスペースに第１発光部材４５及び第２発光部材４６を配置し、光を用いた演出を行うことができる。したがって、遊技機１全体としてのスペース効率を大きく向上させることも可能になる。
【００３１】
さらに、収容空間６１内に第１発光部材４５及び第２発光部材４６を収容配置して、この収容配置した発光部材２２を装飾部材２３の後方に配置したので、遊技者は装飾部材２３の後方に配置されている第１発光部材４５及び第２発光部材４６を視認することなく遊技を行うことができる。したがって、遊技者は、視認性を良好な状態にしつつ遊技を行うことができ、遊技の快適性を向上させることも可能になる。
【００３２】
以上、本発明に係る遊技機１について詳細に説明したが、先に説明したのは本発明に係る遊技機１の構成及び作用効果は、本発明に係る遊技機１に関する一つの例を示したに過ぎず、これに限定するものではない。また、本発明に係る遊技機１においては、本発明の趣旨を逸脱しない範囲において、適宜その構成を変更してもよい。例えば、本実施の形態では、導光部材２１を２枚用いた例を用いて説明したが、この枚数は２枚でなくてもよい。また、本実施の形態では、第１発光部材４５と第２発光部材４６とでそれぞれ別個に形成したが、これら第１発光部材４５及び第２発光部材４６は一体的に形成してもよい。さらに、第１導光部材２４の第１表示部２７及び第２導光部材２５の第２表示部２９に表示される表示情報は、上記したものに限定されない。
【符号の説明】
【００３３】
１  遊技機
１１  遊技盤
１２  センター役物
１３  装飾枠
１６  遊技領域
２１  導光部材
２２  発光部材
２３  装飾部材
２４  第１導光部材
２５  第２導光部材
２６  第１入射面
２７  第１表示部
２８  第２入射面
２９  第２表示部
３０  第１スペーサ部材
３１  第２スペーサ部材
３４  第１スペーサ本体
３５  第１突出部
３９  第２スペーサ部材本体
４０  第２突出部
４５  第１発光部材
４６  第２発光部材
５１  ベース部材
５２  第１基板部材
５３  第１光源
５４  第２光源
５５  第２基板部材
５６  第３光源
５７  第１固定部
５８  第２固定部
５９  装飾部材固定部
６１  収容空間
６２  第３固定部
【図１】
0006553342.tif 000002
【図２】
0006553342.tif 000003
【図３】
0006553342.tif 000004
【図４】
0006553342.tif 000005
【図５】
0006553342.tif 000006